(57)【要約】【課題】遊技店で行われる不正の原因や発生のタイミングを容易に解明するとともに、営業状態や収支度合を把握するための各種指標を高精度に算出することができること。【解決手段】各台計数装置が、遊技媒体の計数を行った際に、遊技媒体の計数値を持玉数とし持玉数が関連付けられた記録媒体を発行し、管理装置が、記録媒体の媒体識別子および当該媒体識別子に対応する持玉数を持玉数情報として記憶し、遊技台で遊技中に増減する遊技媒体の数を入出数情報として記憶し、持玉数情報と入出数情報とを対比することで、遊技店内の遊技媒体に関する不正が行われているか否かを検出するように構成する。【選択図】図２
2010253177.tif 000002
【特許請求の範囲】
【請求項１】
遊技台ごとに設けられ遊技媒体の計数を行う各台計数装置と前記各台計数装置を管理する管理装置とを含んだ各台計数システムであって、
前記各台計数装置は、
前記遊技媒体の計数を行った際に、前記遊技媒体の計数値を持玉数とし前記持玉数が関連付けられた記録媒体を発行する記録媒体発行手段
を備え、
前記管理装置は、
前記記録媒体発行手段によって発行された前記記録媒体の媒体識別子および当該媒体識別子に対応する前記持玉数を持玉数情報として記憶する持玉数情報記憶手段と、
前記遊技台で遊技中に増減する前記遊技媒体の数を入出数情報として記憶する入出数情報記憶手段と、
前記持玉数情報と前記入出数情報とを対比することで、遊技店内の前記遊技媒体に関する不正が行われているか否かを検出する不正検出手段と
を備えたことを特徴とする各台計数システム。
【請求項２】
前記入出数情報記憶手段に記憶される前記入出数情報は、
前記遊技台で貸し出される前記遊技媒体の数である貸玉数、前記遊技台に投入される前記遊技媒体の数である投入数および前記遊技台から払出される前記遊技媒体の数である払出数を含んでおり、
前記不正検出手段は、
前記貸玉数から前記投入数を減算した数に前記払出数を加算することによって求められる値を取得数として算出し前記取得数が前記持玉数よりも小さいならば、前記持玉数に関する不正が行われた疑いありと判定することを特徴とする請求項１に記載の各台計数システム。
【請求項３】
前記入出数情報記憶手段に記憶される前記入出数情報は、
前記遊技台で貸し出される前記遊技媒体の数である貸玉数、前記遊技台に投入される前記遊技媒体の数である投入数および前記遊技台から払出される前記遊技媒体の数である払出数を含んでおり、
前記不正検出手段は、
前記貸玉数から前記投入数を減算した数に前記払出数を加算することによって求められる値を取得数として算出し前記取得数が前記持玉数よりも大きいならば、前記入出数情報に関する不正が行われた疑いありと判定することを特徴とする請求項１または２に記載の各台計数システム。
【請求項４】
前記持玉数情報記憶手段は、
前記遊技媒体を景品に交換した後であるか否かによって前記持玉数を区分けして前記持玉数情報を記憶し、
前記不正検出手段は、
前記持玉数情報記憶手段によって記憶された景品交換後の前記持玉数情報を前記貸玉数で除算した値と前記遊技媒体を景品に交換する際の前記景品の交換金額を遊技店の売上額で除算した値とを対比することで、前記遊技媒体に関する不正が行われた疑いありと判定することを特徴とする請求項１〜３のいずれか一つに記載の各台計数システム。
【請求項５】
遊技台ごとに設けられ遊技媒体の計数を行う各台計数装置と前記各台計数装置を管理する管理装置とを含んだ各台計数システムであって、
前記各台計数装置は、
前記遊技媒体の計数を行った際に、前記遊技媒体の計数値を持玉数とし前記持玉数が関連付けられた記録媒体を発行する記録媒体発行手段
を備え、
前記管理装置は、
前記記録媒体発行手段によって発行された前記記録媒体の媒体識別子および当該媒体識別子に対応する前記持玉数を持玉数情報として記憶する持玉数情報記憶手段と、
前記遊技台で貸し出される前記遊技媒体の数である貸玉数を記憶する貸玉数記憶手段と、
前記持玉数および前記貸玉数に基づいて遊技店側の利益指標を示す営業割を算出する営業割算出手段と
を備えたことを特徴とする各台計数システム。
【請求項６】
前記遊技台ごとに設けられ前記遊技媒体の計数を行う各台計数装置と前記各台計数装置を管理する管理装置とを含んだ各台計数方法であって、
前記遊技媒体の計数を行った際に、前記遊技媒体の計数値を持玉数とし前記持玉数が関連付けられた記録媒体を前記各台計数装置が発行する記録媒体発行工程と、
前記記録媒体発行工程によって発行された前記記録媒体の媒体識別子および当該媒体識別子に対応する前記持玉数を持玉数情報として前記管理装置が記憶する持玉数情報記憶工程と、
前記遊技台で遊技中に増減する前記遊技媒体の数を入出数情報として前記管理装置が記憶する入出数情報記憶工程と、
前記持玉数情報と前記入出数情報とを対比することで、遊技店内の前記遊技媒体に関する不正が行われているか否かを前記管理装置が検出する不正検出工程と
を含んだことを特徴とする各台計数方法。
【発明の詳細な説明】
【技術分野】
【０００１】
この発明は、遊技台での遊技媒体の数を管理する遊技媒体管理装置と遊技台ごとに設けられ遊技媒体の計数を行う各台計数装置とを含んだ各台計数システムおよび各台計数方法に関し、特に、遊技店で行われる不正の原因や発生のタイミングを容易に解明するとともに、営業状態や収支度合を把握するための各種指標を高精度に算出することができる各台計数システムおよび各台計数方法に関するものである。
【背景技術】
【０００２】
従来から、パチンコ店などの遊技店に設置されるパチンコ機やパチスロ機といった遊技台と並設され、各遊技台において遊技者が獲得した遊技媒体を計数する各台計数方式を行う各台計数装置が知られている。
【０００３】
たとえば、特許文献１には、各台計数装置では、遊技者が獲得した遊技媒体を各台計数方式で計数し、計数した遊技媒体の数量（以下、「持玉数」と記載する）を、記録媒体に関連付ける技術が開示されている。
【０００４】
また、遊技台に接続される従来の管理装置では、投入された遊技媒体（以下、「アウト玉」と記載する）の数、払出された遊技媒体（以下、「セーフ玉」と記載する）の数および遊技者に貸し出された遊技媒体（以下、「貸玉」と記載する）の数を管理している。
【０００５】
そして、従来の管理装置では、遊技店における営業状態や収支度合を把握するために、貸玉、アウト玉およびセーフ玉に基づいて算出される「営業割」や、遊技店内に設置されている玉計数機で計数された計数値に基づいて算出される「景品割」という各種指標を算出している。
【０００６】
さらに、従来の管理装置は、閉店時に「景品割」を算出した際に、「営業割」と「景品割」との差分に基づいて、不正の可能性があるか否かを検出している。
【先行技術文献】
【特許文献】
【０００７】
【特許文献１】特開平１０−１１８３２３号公報
【発明の概要】
【発明が解決しようとする課題】
【０００８】
しかしながら、従来の技術では、道具等を使用して貸玉を不正に貸し出す、いわゆるゴト行為による不正であるのか、玉計数機で計数された際に発行されるレシートに偽造が施されたのか等、不正原因やタイミングの解明を容易に行うことができないという問題があった。
【０００９】
また、上述した問題によって、貸玉数に不正が行われた値も含まれる可能性もあるので、営業状態や収支度合を把握するための各種指標を算出する際にも、不正込みの値が含まれてしまい、算出した指標値が信ぴょう性に欠けてしまうという問題もあった。
【００１０】
このため、遊技店で行われる不正の原因や発生のタイミングを容易に解明するとともに、営業状態や収支度合を把握するための各種指標を高精度に算出することができる各台計数システムおよび各台計数方法をいかにして実現するかが大きな課題となっている。
【００１１】
本発明は、上述した従来技術による問題点を解消するためになされたものであって、遊技店で行われる不正の原因や発生のタイミングを容易に解明するとともに、営業状態や収支度合を把握するための各種指標を高精度に算出することができる各台計数システムおよび各台計数方法を提供することを目的とする。
【課題を解決するための手段】
【００１２】
上述した課題を解決し、目的を達成するため、本発明は、遊技台ごとに設けられ遊技媒体の計数を行う各台計数装置と前記各台計数装置を管理する管理装置とを含んだ各台計数システムであって、前記各台計数装置は、前記遊技媒体の計数を行った際に、前記遊技媒体の計数値を持玉数とし前記持玉数が関連付けられた記録媒体を発行する記録媒体発行手段を備え、前記管理装置は、前記記録媒体発行手段によって発行された前記記録媒体の媒体識別子および当該媒体識別子に対応する前記持玉数を持玉数情報として記憶する持玉数情報記憶手段と、前記遊技台で遊技中に増減する前記遊技媒体の数を入出数情報として記憶する入出数情報記憶手段と、前記持玉数情報と前記入出数情報とを対比することで、遊技店内の前記遊技媒体に関する不正が行われているか否かを検出する不正検出手段とを備えたことを特徴とする。
【００１３】
また、本発明は、上記の発明において、前記入出数情報記憶手段に記憶される前記入出数情報は、前記遊技台で貸し出される前記遊技媒体の数である貸玉数、前記遊技台に投入される前記遊技媒体の数である投入数および前記遊技台から払出される前記遊技媒体の数である払出数を含んでおり、前記不正検出手段は、前記貸玉数から前記投入数を減算した数に前記払出数を加算することによって求められる値を取得数として算出し前記取得数が前記持玉数よりも小さいならば、前記持玉数に関する不正が行われた疑いありと判定することを特徴とする。
【００１４】
また、本発明は、上記の発明において、前記入出数情報記憶手段に記憶される前記入出数情報は、前記遊技台で貸し出される前記遊技媒体の数である貸玉数、前記遊技台に投入される前記遊技媒体の数である投入数および前記遊技台から払出される前記遊技媒体の数である払出数を含んでおり、前記不正検出手段は、前記貸玉数から前記投入数を減算した数に前記払出数を加算することによって求められる値を取得数として算出し前記取得数が前記持玉数よりも大きいならば、前記入出数情報に関する不正が行われた疑いありと判定することを特徴とする。
【００１５】
また、本発明は、上記の発明において、前記持玉数情報記憶手段は、前記遊技媒体を景品に交換した後であるか否かによって前記持玉数を区分けして前記持玉数情報を記憶し、前記不正検出手段は、前記持玉数情報記憶手段によって記憶された景品交換後の前記持玉数情報を前記貸玉数で除算した値と前記遊技媒体を景品に交換する際の前記景品の交換金額を遊技店の売上額で除算した値とを対比することで、前記遊技媒体に関する不正が行われた疑いありと判定することを特徴とする。
【発明の効果】
【００１６】
本発明によれば、各台計数装置が、遊技媒体の計数を行った際に、遊技媒体の計数値を持玉数とし持玉数が関連付けられた記録媒体を発行し、管理装置が、記録媒体の媒体識別子および当該媒体識別子に対応する持玉数を持玉数情報として記憶し、遊技台で遊技中に増減する遊技媒体の数を入出数情報として記憶し、持玉数情報と入出数情報とを対比することで、遊技店内の遊技媒体に関する不正が行われているか否かを検出することとしたので、遊技店で行われる不正を容易に検出するとともに、営業状態や収支度合を把握するための各種指標を高精度に算出することができるという効果を奏する。
【００１７】
また、本発明によれば、入出数情報は、遊技台で貸し出される遊技媒体の数である貸玉数、遊技台に投入される遊技媒体の数である投入数および遊技台から払出される遊技媒体の数である払出数を含み、管理装置が、貸玉数から投入数を減算した数に払出数を加算することによって求められる値を取得数として算出し取得数が持玉数よりも小さいならば、持玉数に関する不正が行われた疑いありと判定することとしたので、遊技店で行われる不正の原因や発生のタイミングを容易に解明するとともに、営業中であっても営業状態や収支度合を把握するための各種指標を高精度に算出することができるという効果を奏する。
【００１８】
また、本発明によれば、入出数情報は、遊技台で貸し出される遊技媒体の数である貸玉数、遊技台に投入される遊技媒体の数である投入数および遊技台から払出される遊技媒体の数である払出数を含み、管理装置が、貸玉数から投入数を減算した数に払出数を加算することによって求められる値を取得数として算出し取得数が持玉数よりも大きいならば、入出数情報に関する不正が行われた疑いありと判定することとしたので、遊技店で行われる不正の原因や発生のタイミングを容易に解明するとともに、営業中であっても営業状態や収支度合を把握するための各種指標を高精度に算出することができるという効果を奏する。
【００１９】
また、本発明によれば、管理装置が、遊技媒体を景品に交換した後であるか否かによって持玉数を区分けして持玉数情報を記憶し、景品交換後の持玉数情報を貸玉数で除算した値と遊技媒体を景品に交換する際の景品の交換金額を遊技店の売上額で除算した値とを対比することで、遊技媒体に関する不正が行われた疑いありと判定することとしたので、遊技店で行われる不正の原因や発生のタイミングを容易に解明するとともに、営業中であっても営業状態や収支度合を把握するための各種指標を高精度に算出することができるという効果を奏する。
【図面の簡単な説明】
【００２０】
【図１】図１は、本発明にかかる各台計数システムの概要を示す図である。
【図２】図２は、本実施例にかかる各台計数システムの構成を示すブロック図である。
【図３】図３は、本実施例にかかる店内システムのシステム構成図である。
【図４】図４は、持玉数情報の運用フローを示す図である。
【図５】図５は、本実施例にかかる不正検出方法の一例を示す図である。
【図６】図６は、本実施例にかかる不正検出方法の一例を示す図である。
【図７】図７は、本実施例にかかるホールコンピュータでの処理手順を示すフローチャートである。
【図８】図８は、本実施例にかかる不正検出処理の一例を説明する図である。
【図９】図９は、本実施例にかかる不正検出処理手順を示すフローチャートである。
【図１０】図１０は、本実施例にかかる不正検出処理の一例を説明する図である。
【図１１】図１１は、従来の不正検出システムの概要を示す図である。
【図１２】図１２は、従来の不正検出方法の一例を示す図である。
【発明を実施するための形態】
【００２１】
以下に添付図面を参照して、本発明にかかる各台計数システムの好適な実施例を詳細に説明する。なお、以下では、本発明にかかる各台計数システムの概要について図１を用いて説明した後に、本発明にかかる各台計数システムについての実施例を図２〜図１０を用いて説明することとする。
【００２２】
今回の本発明にかかる各台計数システムでは、各台計数装置で計数した持玉数を記録媒体の識別子に関連付けて管理装置で管理することによって、持玉、貸玉、アウト玉およびセーフ玉に基づいて不正検出を行うことができる点に主たる特徴がある。
【００２３】
図１は、本発明にかかる各台計数システムの概要を示す図である。ここで、本発明にかかる各台計数システムの概要を説明する前に、図１１を用いて、従来の不正検出システムの概要を説明しておく。
【００２４】
図１１は、従来の不正検出システムの概要を示す図である。同図に示すように、遊技店には、ホールコンピュータと呼ばれる遊技店の玉の状況を管理している管理装置と、台間装置とが接続されている。また、各台間装置にはパチンコ機が併設されているものとする。
【００２５】
台間装置では、挿入された貨幣からのパチンコ玉の貸出処理を行う際、遊技者に貸し出された遊技媒体(以下、「貸玉」と記載する)を検知して(同図の(１)参照)、検知した貸玉数をホールコンピュータに送信する。
【００２６】
さらに、パチンコ機または台間装置では、パチンコ機に投入された玉（以下、「アウト玉」と記載する）を検知したり（同図の（２）参照）、払出された玉（以下、「セーフ玉」と記載する）を検知して（同図の（３）参照）、検知した玉数をホールコンピュータに送信する。そして、ホールコンピュータでは、受信した貸玉、アウト玉およびセーフ玉の玉数を入出数情報として管理する。
【００２７】
また、一群のパチンコ機から構成され、周囲を通路に囲まれたスペース（以下、「島」と記載する）の端に設けられた図示しない玉計数機では、遊技者が獲得した玉を計数し、計数した数値を記載したレシートを発行する。
【００２８】
従来の不正検出システムでは、閉店後に、上述した入出数情報やレシートに記載された数値の集計値に基づいて、不正検出を行っていたが、道具等を使用して貸玉を不正に貸し出す、いわゆるゴト行為による不正であるのか、レシートに偽造が施されたのか等、不正原因やタイミングの解明を容易に行うことができなかった。
【００２９】
図１の説明に戻り、本発明にかかる各台計数システムでは、ホールコンピュータと、遊技者が獲得した玉を計数する各台計数装置とが接続されており、さらに、計数した玉（以下、「持玉」と記載する）の数を管理する持玉数管理装置が接続されている。
【００３０】
また、各台計数装置にはパチンコ機が併設されているものとする。なお、本実施例では、従来の台間装置と各台計数装置との双方どちらも各台計数装置と呼んで説明することとする。
【００３１】
ホールコンピュータで管理される入出数情報に関しては、従来通りであるが、各台計数装置では、遊技者が獲得した持玉を計数し（同図の（１）参照）、会員カード等のカード識別子（以下、「カードＩＤ」と記載する）に関連付けて持玉数を、持玉数管理装置に送信する（同図の（２）参照）。
【００３２】
なお、会員カードとは、遊技店の会員となった遊技者へ配布されるカードであり、遊技者が獲得した持玉数が関連付けられており、非会員の遊技者に対しては、計数カードと呼ばれるカードに持玉数を関連付けるものとし、以下、これらを単にカードと記載する。
【００３３】
一方、ホールコンピュータでは、カードＩＤに関連付けて持玉数を持玉数情報として登録し（同図の（２）参照）、持玉数を管理する。そして、各台計数装置は、遊技を終了した際に、持玉数が関連付けられたカードを返却する（同図の（３）参照）。
【００３４】
このように、各台計数装置で計数した持玉数を持玉数管理装置で管理することによって、入出数情報からだけでなく、入出数情報と持玉数情報とを比較することができる（同図の（４）参照）。したがって、貸玉数より持玉数が多いか否か等の比較結果によって、貸玉が不正に貸し出されたのか、または、持ち込み玉があるのか等、遊技店で行われる不正の原因や発生のタイミングを容易に解明することができる。以下では、本発明にかかる各台計数システムについての実施例を詳細に説明する。
【実施例】
【００３５】
以下に添付図面を参照して、本発明にかかる各台計数システムについての実施例を詳細に説明する。まず、本実施例にかかる各台計数システムの構成について図２を用いて説明する。図２は、本実施例にかかる各台計数システムの構成を示すブロック図である。
【００３６】
同図に示すように、各台計数システムは、ホールコンピュータ１０と持玉数管理装置２０と各台計数装置３０と各台計数装置に併設されるパチンコ機４０とで構成される。なお、本実施例では、ホールコンピュータ１０と持玉数管理装置２０とを個々に記載しているが、これは一体となった「管理装置」として構成してもよい。
【００３７】
また、図２では、ホールコンピュータ１０、持玉数管理装置２０および各台計数装置３０の特徴点を説明するために必要な構成要素のみを抜粋して示している。ここでは、処理の流れに沿って、各台計数装置３０、持玉数管理装置２０、そして、ホールコンピュータ１０の順で説明することとする。
【００３８】
まず、各台計数装置３０は、各パチンコ機４０に併設されており、持玉計数部３１と、カード書込部３２と、遊技台Ｉ／Ｆ（インターフェース）３３と、通信Ｉ／Ｆ（インターフェース）３４と、制御部３５とを備えている。また、制御部３５は、持玉数送信部３５ａと、入出数送信部３５ｂとをさらに備えている。
【００３９】
持玉計数部３１は、パチンコ機４０によって遊技者が獲得した持玉を各台計数方式で計数する。カード書込部３２は、遊技終了時に持玉計数部３１で計数した持玉数を、各台計数装置３０に挿入されているカードに持玉数を関連付ける処理を行う処理部である。
【００４０】
遊技台Ｉ／Ｆ３３は、パチンコ機４０との間のデータの送受信を行う。たとえば、パチンコ機４０で検知したアウト玉およびセーフ玉の数を受信する。また、通信Ｉ／Ｆ３４は、ＬＡＮカード等の通信デバイスで構成され、ＬＡＮ等のネットワーク経由で、ホールコンピュータ１０や持玉数管理装置２０との間のデータ送受信を行う。たとえば、制御部３５で検知した貸玉数を、ホールコンピュータ１０に送信する。
【００４１】
持玉数送信部３５ａは、持玉計数部３１で計数した持玉数を、各台計数装置３０に挿入されているカードＩＤとともに、通信Ｉ／Ｆ３４経由で、持玉数管理装置２０に送信する処理を行う処理部である。
【００４２】
入出数送信部３５ｂは、パチンコ機４０を一意に特定する、たとえば、台番号とともに、各台計数装置３０やパチンコ機４０で検知した貸玉、アウト玉およびセーフ玉の数を、ホールコンピュータ１０に送信する処理を行う処理部である。
【００４３】
なお、本実施例では、これら入出数に関する情報を、各台計数装置３０経由で送信するように記載しているが、これは、パチンコ機４０から直接ホールコンピュータ１０に送信するようにしてもよい。
【００４４】
つぎに、持玉数管理装置２０は、記憶部２１と、通信Ｉ／Ｆ２２と、制御部２３とを備えている。また、制御部２３は、持玉数登録部２３ａと、持玉数送信部２３ｂとをさらに備えており、記憶部２１は、持玉数情報２１ａを記憶する。
【００４５】
記憶部２１は、不揮発性メモリやハードディスクドライブといった記憶デバイスで構成される記憶部であり、各台計数装置３０に挿入されているカードのカードＩＤに関連付けて、持玉計数部３１で計数した持玉数を持玉数情報２１ａとして記憶する。
【００４６】
通信Ｉ／Ｆ２２は、ＬＡＮカード等の通信デバイスで構成され、ＬＡＮ等のネットワーク経由で、ホールコンピュータ１０や各台計数装置３０との間のデータ送受信を行う。たとえば、各台計数装置３０からの持玉数に関する情報を受信する。
【００４７】
持玉数登録部２３ａは、各台計数装置３０からカードＩＤとともに受信した持玉数を、カードＩＤに関連付けて、持玉数情報２１ａに登録する処理を行う処理部である。持玉数送信部２３ｂは、持玉数取得部１３ｂからの持玉数取得指示を受付けた際に、持玉数情報２１ａをホールコンピュータ１０に送信する処理を行う処理部である。
【００４８】
つづいて、ホールコンピュータ１０は、記憶部１１と、通信Ｉ／Ｆ１２と、制御部１３とを備えている。また、制御部１３は、入出数登録部１３ａと、持玉数取得部１３ｂと、不正検出部１３ｃと、営業割算出部１３ｄとをさらに備えており、記憶部１１は、入出数情報１１ａを記憶する。
【００４９】
記憶部１１は、不揮発性メモリやハードディスクドライブといった記憶デバイスで構成される記憶部であり、各台計数装置３０やパチンコ機４０で検知した貸玉、アウト玉およびセーフ玉の数を、入出数情報１１ａとして記憶する。
【００５０】
通信Ｉ／Ｆ１２は、ＬＡＮカード等の通信デバイスで構成され、ＬＡＮ等のネットワーク経由で、持玉数管理装置２０や各台計数装置３０との間のデータ送受信を行う。たとえば、ある一定の時間毎に、各台計数装置３０からの入出数に関する情報を受信する。
【００５１】
入出数登録部１３ａは、各台計数装置３０から台番号とともに貸玉、アウト玉およびセーフ玉の数等、入出数に関する情報を受信した際に、台番号に関連付けて入出数を入出数情報１１ａに登録をする処理を行う処理部である。
【００５２】
持玉数取得部１３ｂは、不正検出を行う際に、持玉数管理装置２０から持玉数情報２１ａに記憶される遊技者が獲得した持玉数に関する持玉数情報２１ａを取得する処理を行う処理部である。
【００５３】
不正検出部１３ｃは、入出数情報１１ａと持玉数取得部１３ｂによって取得した持玉数情報２１ａとを比較することによって、不正検出を行う処理を行う処理部である。比較方法については、後述することとする。
【００５４】
営業割算出部１３ｄは、遊技店における営業状態や収支度合を把握するための指標である営業割を、算出する処理を行う処理部である。具体的には、持玉数取得部１３ｂで取得した持玉数の合計値を貸玉数で除算した数値が営業割となる。
【００５５】
つづいて、本実施例にかかる遊技店の店内システムのシステム構成について図３を用いて説明する。図３は、本実施例にかかる店内システムのシステム構成図である。
【００５６】
同図に示すように、遊技店に設置されたホールコンピュータ１０には、ＬＡＮ（Local  Area  Network）等のネットワーク経由で、持玉数管理装置２０と、島コントローラ５０と、精算機６０と、景品管理装置７０と、会員カード端末機８０とが接続されている。
【００５７】
また、島コントローラ５０には、各台計数装置３０と、パチンコ機４０とが接続されている。なお、同図には、１台の島コントローラ５０のみを示しているが、ホールコンピュータ１０には所定数の島コントローラ５０が接続されるものとする。
【００５８】
各台計数装置３０は、島コントローラ５０と各パチンコ機４０との間に介在し、ひとつの島コントローラ５０に対して、所定数の各台計数装置３０が接続されるものとする。ホールコンピュータ１０は、入出数情報１１ａをホールコンピュータ１０が備えるデータベースに記憶して、貸玉、アウト玉およびセーフ玉をパチンコ機４０毎に管理している。また、持玉数管理装置２０は、持玉数情報２１ａを持玉数管理装置２０が備えるデータベースに記憶して、カード毎およびパチンコ機４０毎に持玉数を管理している。
【００５９】
島コントローラ５０は、周囲を通路に囲まれたスペース（遊技島）に設けられた一群のパチンコ機４０および各台計数装置３０を束ねる中継装置である。パチンコ機４０は、パチンコ玉を遊技領域に発射して遊技者がパチンコ遊技を行う装置であり、本実施例では、カード対応のパチンコ機４０であるものとしている。
【００６０】
精算機６０は、カードに関連付けられている有価価値である、プリペイド情報の残額が残っているカードが挿入されたら、残額に相当する現金の払出を行い、カードの精算を行う。
【００６１】
景品管理装置７０は、遊技店内の景品交換カウンタに併設された景品交換用の端末装置であり、図示しない交換玉数管理情報を用いて獲得玉と景品との交換情報を管理する。この交換玉数管理情報は、景品毎にその景品との交換に要する交換玉の数を対応付けて記憶している。
【００６２】
また、遊技者は、景品交換カウンタへカードを持参し、景品管理装置７０にビジターカードを挿入したり、景品管理装置７０に併設された会員カード端末機８０にカードをかざしたりすることで、残数に応じた景品を受け取ることができる。
【００６３】
その際、景品交換カウンタ内の従業員が、遊技者により指定された景品に対応する交換ボタンを押下し、景品管理装置７０は、当該景品に相当する玉数（以下、「景品玉」と記載する）を持玉から減算する交換制御を実行させ、その後に従業員による手作業で遊技者に受け渡す。
【００６４】
このように、遊技店には、会員をはじめ遊技者に対してサービスを提供するシステムとして、会員カードを取り扱う店内機器（例えば、各台計数装置３０や景品管理装置７０等）とこれらの店内機器を管理する図示しない会員管理装置とを含んで構成される会員管理システム、そして、カードを取り扱う店内機器（例えば、各台計数装置３０や精算機６０等）を含んで構成されるカードシステム、さらには、遊技台の台データを取り扱う店内機器（例えば、各台計数装置３０やパチンコ機４０等）を含んで構成されるシステムが併存している。
【００６５】
つぎに、不正のタイミングを検出するために設けられる、持玉数管理装置２０に備える持玉数情報２１ａの区分け処理について、図４を用いて説明する。図４は、持玉数情報２１ａの運用フローを示す図である。
【００６６】
同図（Ａ）に示すように、持玉数管理装置２０は、遊技店の営業中には、カードＩＤに関連付けられた持玉数情報２１ａの持玉数は、「遊技中持玉」と、「カード発行済持玉」および「処理済持玉」の３つに区分けする。
【００６７】
「遊技中持玉」区分は、各台計数装置３０にカードが挿入されている状態で、カードによって遊技者が遊技をしている時の、カードＩＤに関連付けられている持玉数の区分である。
【００６８】
そして、遊技終了時にカードが返却される際に、「遊技中持玉」区分であった持玉数が、「カード発行済持玉」区分に移行することとなる。「カード発行済持玉」区分である持玉数に関連付けられたカードＩＤのカードは、どの各台計数装置３０にも挿入されていない状態であることを示す。
【００６９】
また、「カード発行済持玉」区分である持玉数に関連付けられたカードＩＤのカードを、各台計数装置３０に挿入した場合、「カード発行済持玉」区分であった持玉数は、「遊技中持玉」区分に移行し、持玉数によって遊技をすることができる。
【００７０】
その後、遊技者が景品交換カウンタへカードを持参し、「カード発行済持玉」区分である持玉数に応じた景品を受け取ることができる。景品に交換した際の当該景品に相当する玉数を「カード発行済持玉」区分から減算し、同時に、「処理済持玉」区分の持玉数に、減算した数を移行することとする。ここで、「処理済持玉」区分の持玉数によって、遊技をすることはできない。
【００７１】
なお、本実施例では、「カード発行済持玉」区分である持玉数によって景品交換した場合、「処理済持玉」区分に移行することとした。しかし、カードに関連付けられた持玉数を、手数料がかかるが、翌日以降にも遊技をすることができる「貯玉」として取り扱うように変更することもできる。なお、会員のみが「貯玉」に移行することができる。
【００７２】
そこで、景品交換した場合だけでなく、「カード発行済持玉」区分である持玉数を「貯玉」に変更する際に、貯玉数を「カード発行済持玉」区分から減算し、同時に、貯玉数を「処理済持玉」区分の持玉数に移行することとしてもよい。
【００７３】
また、閉店後は、閉店時の処理として、同図（Ｂ）に示すように、持玉数管理装置２０では、「遊技中持玉」区分および「カード発行済持玉」区分である持玉数をすべて「未処理玉」区分として、「処理済持玉」とは区別しておく。同時に、持玉数管理装置２０は、「処理済持玉」区分である持玉数は、そのまま「処理済持玉」区分としておく。
【００７４】
つぎに、本実施例にかかる不正検出方法の一例について図５および図６を用いて説明する。図５および図６は、本実施例にかかる不正検出方法の一例を示す図である。ここで、本発明にかかる不正検出方法を説明する前に、図１２を用いて、従来の不正検出方法の一例を説明しておく。
【００７５】
従来より、遊技店における営業状態や収支度合を把握するために、以下のように営業割や、景品割という各種指標を算出している。そして、算出した営業割と景品割とが異なる場合には、不正が行われた可能性があると判定していた。
【００７６】
まず、営業割を算出する際には、アウト玉からセーフ玉を減算した値（以下、「差玉」と記載する）を算出する（同図の（ａ）参照）。これは、遊技台での玉の出入りした数の差分に相当する。
【００７７】
そして、貸玉から差玉を減算した値を貸玉で除算することにより、営業割を算出する（同図の（ｂ）参照）。貸玉から差玉を減算した値は、遊技店で遊技しているすべての遊技者が持っている玉数の合計値に相当する。
【００７８】
したがって、遊技店で遊技しているすべての遊技者が持っている玉数の合計値と、貸玉から差玉を減算した値とを比較して、相違があることによって、不正があったか否かを判定することもできる。
【００７９】
しかし、営業中は、実際に遊技者が持っている玉数を正確に把握することが困難であるため、貸玉から差玉を減算した値が、不正などによって、本来あるべき数値とは異なっていても、発見することはできない。
【００８０】
一方、景品管理装置７０で管理している景品玉を貸玉で除算する、具体的には、玉計数機で発行したレシートによって遊技者が景品交換した玉数を貸玉で除算することにより、景品割を算出する（同図の（ｃ）参照）。
【００８１】
そして、算出した営業割と景品割とが異なる場合（同図の（ｄ）参照）に、不正が行われた可能性があると判定していた。しかし、これは閉店後に算出した値であるため、ゴト行為による貸玉を不正に貸し出されたのか、レシートに偽造されたのか等、原因やタイミングまでは解明するまでには至らなかった。
【００８２】
図５および図６の説明に戻り、本発明にかかる各台計数システムでは、入出数情報１１ａおよび持玉数情報２１ａに基づいて営業割や、景品割という各種指標を算出し、算出した営業割および景品割によって、不正の検出を行うこととする。
【００８３】
まず、図５の（ｅ）に示すように、従来の営業割を算出する際に算出した貸玉から差玉を減算した値は、遊技店で遊技しているすべての遊技者が持っている玉数の合計値に相当する。
【００８４】
すなわち、営業中であれば、各台計数方式で計数され、持玉数情報２１ａに記憶されている、「遊技中持玉」と「カード発行済持玉」および「処理済持玉」の合計（以下、「持玉合計」と記載する）となる。
【００８５】
したがって、持玉合計を貸玉で除算する（同図の（ｆ）参照）ことにより、営業中であっても、実際の玉数によって営業割を算出することができる。ここで、遊技台の皿の上にある玉および通路に落ちている玉以外は各台計数装置で計数されているため、従来より、正確に算出することができる。さらに、貸玉から差玉を減算した値（以下、「取得数」と記載する）と持玉合計とが異なる場合（同図の（ｇ）参照）には、その時点で、不正を検出することができる。
【００８６】
具体的には、取得数が持玉合計よりも小さいならば、要因として、貸玉が少ない、または、持玉合計が多いということから、不正に玉が遊技店外から持ち込まれた可能性があることがわかる。
【００８７】
また、逆に、取得数が持玉合計よりも大きいならば、要因として、貸玉が多い、または、持玉合計が少ないということがわかるが、ホッパゴトの不正によって貸玉が多くなったのか、玉の持ち出しであるかは、まだ特定することができないので、引き続き景品割を算出することで、不正の原因やタイミングの解明を行う。
【００８８】
つづいて、図６の（ｈ）に示すように、景品交換された景品金額を売上額で除算することにより、景品割Ａを算出する。ここで、景品金額は、景品管理装置７０で管理されており、売上額は、図示しない貨幣やカードに関連付けられている有価価値であるプリペイド残額の入出金管理を行う管理装置で管理されているものとする。
【００８９】
また、従来の景品割を算出する際に使用した景品玉は、具体的には、玉計数機で発行したレシートによって遊技者が景品交換した玉数であることから、持玉数情報２１ａに記憶されている、「処理済持玉」に相当する（同図の（ｉ）参照）。
【００９０】
したがって、処理済持玉を貸玉で除算する（同図の（ｊ）参照）ことにより、景品割Ｂを算出することができる。そして、景品割Ａと景品割Ｂとを比較し、さらに、上述した取得数と持玉合計との比較結果と併せて考慮することによって、不正の原因やタイミングの解明を行うことができる（同図の（ｋ）参照）。
【００９１】
たとえば、景品割Ａが景品割Ｂよりも小さいならば、玉が持ち込まれた可能性があることがわかる。一方、景品割Ａと景品割Ｂとを比較して、相違がなかった場合には、処理済持玉および貸玉には不正が行われていないということから、遊技中持玉、または、カード発行済持玉のいずれかに不正が行われたということがわかる。
【００９２】
このように、取得数が持玉合計よりも大きい場合に、取得数と持玉合計とからでは、特定できなかった不正の原因やタイミングも、複数の比較結果を併せて考慮することによって、解明することができる。
【００９３】
つぎに、ホールコンピュータ１０が実行する不正検出の処理手順の一例について図７を用いて説明する。図７は、本実施例にかかるホールコンピュータでの処理手順を示すフローチャートである。
【００９４】
同図に示すように、ホールコンピュータ１０は、各台計数装置３０から台番号および入出数に関する情報を受信したら(ステップＳ１０１)、台番号に関連付けて入出数を入出数情報１１ａに登録する(ステップＳ１０２)。
【００９５】
そして、持玉数取得部１３ｂでは、持玉数管理装置２０から、持玉数情報２１ａを取得して(ステップＳ１０３)、不正検出部１３ｃでは、貸玉から差玉を減算した値と持玉合計とが異なるか否かを判定する(ステップＳ１０４)。
【００９６】
不正検出部１３ｃで、貸玉から差玉を減算した値と持玉合計とが異なる場合(ステップＳ１０４：Ｙｅｓ)、不正の可能性ありと判定し、持玉数情報２１ａから不正検出を行う（ステップＳ１０５）。一方、貸玉から差玉を減算した値と持玉合計とが等しい場合(ステップＳ１０４：Ｎｏ)、不正の可能性なしと判定し、ステップＳ１０６へ移行する。
【００９７】
また、不正検出部１３ｃでは、景品金額を売上額で除算した値と処理済持玉を貸玉で除算した値とが異なるか否かを判定し(ステップＳ１０６)、景品金額を売上額で除算した値と処理済持玉を貸玉で除算した値とが異なる場合（ステップＳ１０６：Ｙｅｓ）、不正の可能性ありと判定し、景品割の値から不正検出を行う（ステップＳ１０７）。
【００９８】
一方、景品金額を売上額で除算した値と処理済持玉を貸玉で除算した値とが等しい場合（ステップＳ１０６：Ｎｏ）、不正の可能性なしと判定し、ステップＳ１０８へ移行する。
【００９９】
そして、営業割算出部１３ｄでは、ステップＳ１０３で取得した持玉数情報２１ａに基づいて、営業割を算出して（ステップＳ１０８）、一連の処理を終了するが、ホールコンピュータ１０では、ある一定の時間毎に、各台計数装置３０からの入出数に関する情報を受信するので、受信する毎にステップＳ１０１〜ステップＳ１０８の処理を繰り返す。このように管理できるのは、遊技者が獲得した遊技媒体を「遊技中」と「カード発行済持玉」および「処理済持玉」と区分けして管理を行うようにしたからである。
【０１００】
なお、ここでは、景品金額を売上額で除算した値と処理済持玉を貸玉で除算した値とが等しい場合（ステップＳ１０６：Ｎｏ）、不正の可能性なしと判定し、ステップＳ１０８に移行するようにした。しかし、ステップＳ１０６の判定結果に基づいて、ステップＳ１０７の不正検出を行うようにしてもよい。
【０１０１】
また、これまで本発明の実施例について説明してきたが、本発明は上記した実施例以外にも、種々の異なる形態にて実施されてよいものである。本実施例においては、入出数情報１１ａや持玉数情報２１ａの遊技店全体の合計値に基づいて不正検出するように説明した。
【０１０２】
しかしながら、本発明はこれに限られるものではない。そこで、以下では、不正検出の処理手順の変形例について図８〜図１０を用いて説明する。図８は、本実施例にかかる不正検出処理の一例を説明する図である。
【０１０３】
ここでは、入出数情報１１ａおよび持玉数情報２１ａに、台番号とカードＩＤに関連付けて、入出数および持玉数を記憶させ、遊技店全体の合計値だけでなく、パチンコ機４０毎およびカード毎の数値に基づいて高精度に不正検出を行うことができる。
【０１０４】
遊技店の会員は会員カードを持ち、非会員はビジターカードを持つというように、遊技者はカードを必ず持って遊技台で遊技を行うとする。そして、各台計数装置３０は、台番号とともにカードＩＤおよび入出数に関する情報をホールコンピュータ１０に送信する。
【０１０５】
一方、ホールコンピュータ１０では、入出数情報１１ａに、台番号とカードＩＤに関連付けて入出数に関する情報を記憶するようにした。したがって、同図上部の表に示すように、入出数情報１１ａには、台番号に関連付けて、貸玉、アウト玉、セーフ玉およびカードＩＤが記憶される。同時に、貸玉、アウト玉およびセーフ玉の遊技店全体の合計値を算出し、「遊技店合計」として、記憶しておく（同図上部の表の最終行参照）。
【０１０６】
また、各台計数装置３０は、カードＩＤとともに台番号および持玉計数部３１で計数した持玉数を持玉数管理装置２０に送信する。そして、持玉数管理装置２０では、持玉数情報２１ａに、カードＩＤと台番号に関連付けて持玉数を記憶するようにした。
【０１０７】
したがって、同図下部の表に示すように、持玉数情報２１ａには、カードＩＤに関連付けて、遊技中持玉、カード発行済持玉、処理済持玉および台番号が記憶される。ここでも、各持玉に関して遊技店全体の合計値を算出し、「遊技店合計」として、記憶しておく（同図下部の表の最終行参照）。
【０１０８】
たとえば、カードＩＤ３３３のカードを持った遊技者が、台番号１００３のパチンコ機で遊技を行い、遊技終了してカード返却を行った場合について説明する。台番号１００３の入出数情報１１ａには、カードＩＤ３３３のカードによる遊技中の結果として、同図上部の表の４行目に示すように、カードＩＤ３３３とともに入出数の情報が記憶される。
【０１０９】
また、カードＩＤ３３３の持玉数情報２１ａには、同図下部の表の３行目に示すように、台番号１００３とともに遊技中持玉からカード発行済持玉に移行した、持玉数（ここでは６９００個）が記憶される。
【０１１０】
ホールコンピュータ１０では、まず、遊技店合計の貸玉から差玉を減算した値１０１（ここでは９４００個）と、遊技店合計の持玉合計１０２（ここでは、１０４００個）とが異なることで不正の可能性があることを判定する。
【０１１１】
さらに、ホールコンピュータ１０は、カードＩＤ毎に、貸玉から差玉を減算した値と持玉合計とが異なるか否かを判定し、結果の異なるカードＩＤを検索する。同図に示すように、カードＩＤ３３３の貸玉から差玉を減算した値１０３（ここでは、５９００個）と持玉合計１０４（ここでは、６９００個）とが異なる。
【０１１２】
したがって、不正の可能性があるカードＩＤならびに不正が行われた可能性のあるパチンコ機４０まで特定することができる。また、カードＩＤ３３３の持玉数情報２１ａには、カード発行済持玉に持玉数が記憶されていることから、景品交換を行う前に、不正が行われているといった、不正のタイミングの解明を行うこともできる。
【０１１３】
つづいて、ホールコンピュータ１０が実行する持玉数情報２１ａから不正検出を行う処理手順の一例について図９を用いて説明する。ここでは、図７のステップＳ１０５に相当する部分についてのみ、抜粋して記述することとする。図９は、本実施例にかかる不正検出処理手順を示すフローチャートである。
【０１１４】
同図に示すように、ホールコンピュータ１０は、遊技店合計の貸玉から差玉を減算した値より遊技店合計の持玉合計が大きいか否かを判定し（ステップＳ２０１）、遊技店合計の貸玉から差玉を減算した値より遊技店合計の持玉合計が大きい場合（ステップＳ２０１：Ｙｅｓ）、持玉数情報２１ａに不正された疑いがあると判定する（ステップＳ２０２）。
【０１１５】
一方、ホールコンピュータ１０は、遊技店合計の貸玉から差玉を減算した値より遊技店合計の持玉合計が小さい場合（ステップＳ２０１：Ｎｏ）、貸玉に不正された疑いがあると判定する（ステップＳ２０３）。
【０１１６】
そして、ホールコンピュータ１０は、個別に、すなわち、カードＩＤ毎に、貸玉から差玉を減算した値と持玉合計とが異なるか否かを判定し、結果の異なるカードＩＤや台番号を検索する（ステップＳ２０４）。
【０１１７】
その結果、ホールコンピュータ１０は、該当するカードＩＤがあるか否かを判定し（ステップＳ２０５）、該当するカードＩＤがあった場合には（ステップＳ２０５：Ｙｅｓ）、不正が行われたカードＩＤを特定することとなる（ステップＳ２０６）。
【０１１８】
そして、ホールコンピュータ１０は、当該カードＩＤの持玉数情報２１ａに記憶されている持玉数の区分によって、不正のタイミングを判定する（ステップＳ２０７）。一方、ホールコンピュータ１０は、ステップＳ２０５で、該当するカードＩＤがなかった場合には（ステップＳ２０５：Ｎｏ）、ステップＳ２０８へ処理を移行する。
【０１１９】
さらに、ホールコンピュータ１０は、該当する台番号があるか否か、すなわち、不正が行われた遊技台があるか否かを判定し（ステップＳ２０８）、該当する台番号があった場合には（ステップＳ２０８：Ｙｅｓ）、不正が行われた遊技台を特定することとなる（ステップＳ２０９）。
【０１２０】
また、ステップＳ２０８で、該当する台番号がなかった場合には（ステップＳ２０８：Ｎｏ）、そのまま処理を終了する。
【０１２１】
つぎに、ホールコンピュータ１０が実行する景品割の値から不正検出を行う処理手順の一例について図１０を用いて説明する。ここでは、図７のステップＳ１０７に相当する部分についてのみ、抜粋して記述することとする。図１０は、本実施例にかかる不正検出処理の一例を説明する図である。
【０１２２】
ホールコンピュータ１０では、「遊技店合計」の数値に基づいて同図上部に示すように、景品金額を売上額で除算した景品割と処理済持玉を貸玉で除算した景品割とが異なるか否かによって、不正検出を行う。
【０１２３】
ここで、景品金額÷売上額と処理済持玉÷貸玉との大小関係のケースによって、同図下部の表に示すように、要因および不正の原因が考えられる。たとえば、景品金額÷売上額＜処理済持玉÷貸玉の場合、要因は、二通り考えられる。ひとつは、処理済持玉が多い場合と、もうひとつは、貸玉が少ない場合である。
【０１２４】
処理済持玉が多い場合は、カードＩＤに関連付けられた持玉数を増やす等の「カード偽造」や不正に玉が遊技店外から持ち込まれること（以下、「玉持ち込み」と記載する）が不正原因であると考えられ、また、貸玉が少ない場合には、「玉持ち込み」等が不正原因であると考えられる。
【０１２５】
また、景品金額÷売上額＞処理済持玉÷貸玉の場合には、要因は、処理済持玉が少ない場合と、貸玉が多い場合との二通り考えられる。処理済持玉が少ない場合は、「カード偽造」や、不正に玉が遊技店外に持ち出されること（以下、「玉持ち出し」と記載する）が不正原因であると考えられ、また、貸玉が多い場合には、「ホッパゴト」等が不正原因であると考えられる。
【０１２６】
同図下部の表に示したようなことは、「遊技店合計」の数値だけでなく、パチンコ機４０毎およびカード毎の数値についても適用することができる。したがって、景品割の値についても、図８および図９の説明で記載した方法と同様に、パチンコ機４０毎およびカード毎の数値に基づいて比較することによって、不正の原因や発生のタイミングだけでなく、不正が行われたカードＩＤや不正が行われた遊技台を特定することができる。
【０１２７】
上述してきたように、本実施例では、ホールコンピュータ１０で、入出数情報１１ａとカードＩＤに関連付けられた持玉数情報２１ａとに基づいて対比することによって、遊技店で行われる不正の原因や発生のタイミングを容易に解明するとともに、営業状態や収支度合を把握するための各種指標を高精度に算出することができる。
【０１２８】
なお、本発明請求項記載の各台計数装置は各台計数装置３０、管理装置はホールコンピュータ１０および持玉数管理装置２０、記録媒体発行手段はカード書込部３２、持玉数情報記憶手段は持玉数情報２１ａ、入出数情報記憶手段は入出数情報１１ａ、不正検出手段は不正検出部１３ｃに相当するものである。
【０１２９】
なお、上述した実施例では、対比した値が異なる場合に、不正と判定するようにしたが、対比した差異が所定の値以内であれば、不正としないようにしてもよい。この場合、遊技店内に、こぼれた玉や、景品交換時に発生する端数の玉による多少の誤差が、不正と認識されることなく、不正検出を行うことができる。
【０１３０】
また、上述した実施例では、パチンコ遊技に適用する例を説明したが、パチスロ遊技を対象としてさらに含めた場合又はパチスロ遊技のみを対象とした場合にも同様に適用することができる。
【産業上の利用可能性】
【０１３１】
以上のように、本発明にかかる各台計数システムでは、遊技店で行われる不正の原因や発生のタイミングを容易に解明するとともに、営業中に常に変動する入出数情報および持玉数情報に基づいて比較、算出する場合に有用であり、特に、営業状態や収支度合を把握するための各種指標を算出する場合に適している。
【符号の説明】
【０１３２】
１０    ホールコンピュータ
１１    記憶部
１１ａ  入出数情報
１２    通信Ｉ／Ｆ
１３    制御部
１３ａ  入出数登録部
１３ｂ  持玉数取得部
１３ｃ  不正検出部
１３ｄ  営業割算出部
２０    持玉数管理装置
２１    記憶部
２１ａ  持玉数情報
２２    通信Ｉ／Ｆ
２３    制御部
２３ａ  持玉数登録部
２３ｂ  持玉数送信部
３０    各台計数装置
３１    持玉計数部
３２    カード書込部
３３    遊技台Ｉ／Ｆ
３４    通信Ｉ／Ｆ
３５    制御部
３５ａ  持玉数送信部
３５ｂ  入出数送信部
４０    パチンコ機
５０    島コントローラ
６０    精算機
７０    景品管理装置
８０    会員カード端末機
【図１】
2010253177.tif 000003
【図２】
2010253177.tif 000004
【図３】
2010253177.tif 000005
【図４】
2010253177.tif 000006
【図５】
2010253177.tif 000007
【図６】
2010253177.tif 000008
【図７】
2010253177.tif 000009
【図８】
2010253177.tif 000010
【図９】
2010253177.tif 000011
【図１０】
2010253177.tif 000012
【図１１】
2010253177.tif 000013
【図１２】
2010253177.tif 000014